【手続補正書】
【提出日】平成19年12月14日(2007.12.14)
【手続補正１】
【補正対象書類名】明細書
【補正対象項目名】発明の名称
【補正方法】変更
【補正の内容】
【発明の名称】情報処理装置及び印刷制御方法、並びに印刷システム
【手続補正２】
【補正対象書類名】明細書
【補正対象項目名】特許請求の範囲
【補正方法】変更
【補正の内容】
【特許請求の範囲】
【請求項１】  記録媒体、該記録媒体を収納するケース、及び該記録媒体を有する記録装置を含む対象物に適合する貼付物の印刷データを生成し、生成された印刷データに基づいて前記貼付物の印刷を行う情報処理装置において、
音楽用ＣＤ、音楽用テープ、及び音楽用ＭＤを含む記録物に付属するバーコード情報を読み取る読取手段と、
前記読取手段により読み取ったバーコード情報に基づいて、前記記録物に記録された音楽、音声を含む情報の曲名、タイトル名、及びアーティスト名のデータを検索取得する取得手段と、
前記読取手段により前記バーコード情報が読み取られた際の回数をカウントして集計を行い、利用回数データとして記憶する記憶手段と、
前記取得手段により取得されたデータから前記対象物に適合する貼付物を印刷する印刷手段とを備えることを特徴とする情報処理装置。
【請求項２】  前記取得手段は、前記情報処理装置又は前記情報処理装置にネットワークを介して接続されたホスト装置のいずれか一方から前記データを検索取得することを特徴とする請求項１記載の情報処理装置。
【請求項３】  前記記憶手段に記憶された利用回数データに基づいて所定の情報サービスを提供する情報提供手段と、前記利用回数データを配信する配信手段とを更に備えることを特徴とする請求項１又は２記載の情報処理装置。
【請求項４】  前記バーコード情報は、商品バーコード及び独自に設定されたバーコードを含むことを特徴とする請求項１乃至３のいずれか１項に記載の情報処理装置。
【請求項５】  記録媒体、該記録媒体を収納するケース、及び該記録媒体を有する記録装置を含む対象物に適合する貼付物の印刷データを生成し生成された印刷データに基づいて前記貼付物の印刷を行う情報処理装置の印刷制御方法において、
音楽用ＣＤ、音楽用テープ、及び音楽用ＭＤを含む記録物に付属するバーコード情報を読み取る読取工程と、
前記読取工程にて読み取ったバーコード情報に基づいて、前記記録物に記録された音楽、音声を含む情報の曲名、タイトル名、及びアーティスト名のデータを検索取得する取得工程と、
前記読取工程にて前記バーコード情報が読み取られた際の回数をカウントして集計を行い、利用回数データとして記憶手段に記憶する記憶工程と、
前記取得工程にて取得されたデータから前記対象物に適合する貼付物を印刷する印刷工程とを備えることを特徴とする印刷制御方法。
【請求項６】  前記取得工程は、前記情報処理装置又は前記情報処理装置にネットワークを介して接続されたホスト装置のいずれか一方から前記データを検索取得することを特徴とする請求項５記載の印刷制御方法。
【請求項７】  前記記憶手段に記憶された利用回数データに基づいて所定の情報サービスを提供する情報提供工程と、前記利用回数データを配信する配信工程とを更に備えることを特徴とする請求項５又は６記載の印刷制御方法。
【請求項８】  前記バーコード情報は、商品バーコード及び独自に設定されたバーコードを含むことを特徴とする請求項５乃至６のいずれか１項に記載の印刷制御方法。
【請求項９】  記録媒体、該記録媒体を収納するケース、及び該記録媒体を有する記録装置を含む対象物に適合する貼付物の印刷データを生成し、生成された印刷データに基づいて前記貼付物の印刷を行う情報処理装置と、前記情報処理装置にネットワークを介して接続されたホスト装置とを備える印刷システムにおいて、
前記情報処理装置は、音楽用ＣＤ、音楽用テープ、及び音楽用ＭＤを含む記録物に付属するバーコード情報を読み取る読取手段と、
前記読取手段により読み取ったバーコード情報に基づいて、前記記録物に記録された音楽、音声を含む情報の曲名、タイトル名、及びアーティスト名のデータを検索取得する取得手段と、
前記読取手段により前記バーコード情報が読み取られた際の回数をカウントして集計を行い、利用回数データとして前記情報処理装置又は前記ホスト装置に記憶する記憶手段と、
前記取得手段により取得されたデータから前記対象物に適合する貼付物の印刷を行う印刷手段とを備え、
前記取得手段は、前記情報処理装置又は前記ホスト装置のいずれか一方から前記データを検索取得することを特徴とする印刷システム。
【請求項１０】  前記情報処理装置は、前記情報処理装置又は前記ホスト装置に記憶された利用回数データに基づいて所定の情報サービスを提供する情報提供手段と、前記利用回数データを配信する配信手段とを更に備えることを特徴とする請求項９記載の印刷システム。
【請求項１１】  前記バーコード情報は、商品バーコード及び独自に設定されたバーコードを含むことを特徴とする請求項９又は１０記載の印刷システム。
【手続補正３】
【補正対象書類名】明細書
【補正対象項目名】０００１
【補正方法】変更
【補正の内容】
【０００１】
【発明の属する技術分野】
本発明は、情報処理装置及び印刷制御方法、並びに印刷システムに関し、特に、映像、音声、情報を記録する記録媒体、該記録媒体を収納するケース、及び該記録媒体を有する記録装置に貼付する貼付物を生成する情報処理装置及び印刷制御方法、印刷システムに関する。
【手続補正４】
【補正対象書類名】明細書
【補正対象項目名】０００５
【補正方法】変更
【補正の内容】
【０００５】
本発明は、データの入力時間を短縮し、簡単且つ迅速にラベル、シール、インデックスカード等の貼付物を生成することができる情報処理装置及び印刷制御方法、並びに印刷システムを提供することを目的とする。
【手続補正５】
【補正対象書類名】明細書
【補正対象項目名】０００６
【補正方法】変更
【補正の内容】
【０００６】
【課題を解決するための手段】
上記目的を達成するために、請求項１記載の情報処理装置は、記録媒体、該記録媒体を収納するケース、及び該記録媒体を有する記録装置を含む対象物に適合する貼付物の印刷データを生成し、生成された印刷データに基づいて前記貼付物の印刷を行う情報処理装置において、音楽用ＣＤ、音楽用テープ、及び音楽用ＭＤを含む記録物に付属するバーコード情報を読み取る読取手段と、前記読取手段により読み取ったバーコード情報に基づいて、前記記録物に記録された音楽、音声を含む情報の曲名、タイトル名、及びアーティスト名のデータを検索取得する取得手段と、前記読取手段により前記バーコード情報が読み取られた際の回数をカウントして集計を行い、利用回数データとして記憶する記憶手段と、前記取得手段により取得されたデータから前記対象物に適合する貼付物を印刷する印刷手段とを備えることを特徴とする。
【手続補正６】
【補正対象書類名】明細書
【補正対象項目名】０００７
【補正方法】変更
【補正の内容】
【０００７】
請求項２記載の情報処理装置は、請求項１記載の情報処理装置において、前記取得手段は、前記情報処理装置又は前記情報処理装置にネットワークを介して接続されたホスト装置のいずれか一方から前記データを検索取得することを特徴とする。
【手続補正７】
【補正対象書類名】明細書
【補正対象項目名】０００８
【補正方法】変更
【補正の内容】
【０００８】
請求項３記載の情報処理装置は、請求項１又は２記載の情報処理装置において、前記記憶手段に記憶された利用回数データに基づいて所定の情報サービスを提供する情報提供手段と、前記利用回数データを配信する配信手段とを更に備えることを特徴とする。
【手続補正８】
【補正対象書類名】明細書
【補正対象項目名】０００９
【補正方法】削除
【補正の内容】
【手続補正９】
【補正対象書類名】明細書
【補正対象項目名】００１０
【補正方法】削除
【補正の内容】
【手続補正１０】
【補正対象書類名】明細書
【補正対象項目名】００１１
【補正方法】削除
【補正の内容】
【手続補正１１】
【補正対象書類名】明細書
【補正対象項目名】００１２
【補正方法】変更
【補正の内容】
【００１２】
請求項４記載の情報処理装置は、請求項１乃至３のいずれか１項に記載の情報処理装置において、前記バーコード情報は、商品バーコード及び独自に設定されたバーコードを含むことを特徴とする。
【手続補正１２】
【補正対象書類名】明細書
【補正対象項目名】００１３
【補正方法】削除
【補正の内容】
【手続補正１３】
【補正対象書類名】明細書
【補正対象項目名】００１４
【補正方法】削除
【補正の内容】
【手続補正１４】
【補正対象書類名】明細書
【補正対象項目名】００１５
【補正方法】削除
【補正の内容】
【手続補正１５】
【補正対象書類名】明細書
【補正対象項目名】００１６
【補正方法】削除
【補正の内容】
【手続補正１６】
【補正対象書類名】明細書
【補正対象項目名】００１７
【補正方法】変更
【補正の内容】
【００１７】
上記目的を達成するために、請求項６記載の印刷制御方法は、記録媒体、該記録媒体を収納するケース、及び該記録媒体を有する記録装置を含む対象物に適合する貼付物の印刷データを生成し生成された印刷データに基づいて前記貼付物の印刷を行う情報処理装置の印刷制御方法において、音楽用ＣＤ、音楽用テープ、及び音楽用ＭＤを含む記録物に付属するバーコード情報を読み取る読取工程と、前記読取工程にて読み取ったバーコード情報に基づいて、前記記録物に記録された音楽、音声を含む情報の曲名、タイトル名、及びアーティスト名のデータを検索取得する取得工程と、前記読取工程にて前記バーコード情報が読み取られた際の回数をカウントして集計を行い、利用回数データとして記憶手段に記憶する記憶工程と、前記取得工程にて取得されたデータから前記対象物に適合する貼付物を印刷する印刷工程とを備えることを特徴とする。
【手続補正１７】
【補正対象書類名】明細書
【補正対象項目名】００１８
【補正方法】変更
【補正の内容】
【００１８】
請求項６記載の印刷制御方法は、請求項５記載の印刷制御方法において、前記取得工程は、前記情報処理装置又は前記情報処理装置にネットワークを介して接続されたホスト装置のいずれか一方から前記データを検索取得することを特徴とする。
【手続補正１８】
【補正対象書類名】明細書
【補正対象項目名】００１９
【補正方法】変更
【補正の内容】
【００１９】
請求項７記載の印刷制御方法は、請求項５又は６記載の印刷制御方法において、前記記憶手段に記憶された利用回数データに基づいて所定の情報サービスを提供する情報提供工程と、前記利用回数データを配信する配信工程とを更に備えることを特徴とする。
【手続補正１９】
【補正対象書類名】明細書
【補正対象項目名】００２０
【補正方法】削除
【補正の内容】
【手続補正２０】
【補正対象書類名】明細書
【補正対象項目名】００２１
【補正方法】削除
【補正の内容】
【手続補正２１】
【補正対象書類名】明細書
【補正対象項目名】００２２
【補正方法】削除
【補正の内容】
【手続補正２２】
【補正対象書類名】明細書
【補正対象項目名】００２３
【補正方法】変更
【補正の内容】
【００２３】
請求項８記載の印刷制御方法は、請求項５乃至６のいずれか１項に記載の印刷制御方法において、前記バーコード情報は、商品バーコード及び独自に設定されたバーコードを含むことを特徴とする。
【手続補正２３】
【補正対象書類名】明細書
【補正対象項目名】００２４
【補正方法】削除
【補正の内容】
【手続補正２４】
【補正対象書類名】明細書
【補正対象項目名】００２５
【補正方法】削除
【補正の内容】
【手続補正２５】
【補正対象書類名】明細書
【補正対象項目名】００２６
【補正方法】削除
【補正の内容】
【手続補正２６】
【補正対象書類名】明細書
【補正対象項目名】００２７
【補正方法】削除
【補正の内容】
【手続補正２７】
【補正対象書類名】明細書
【補正対象項目名】００２８
【補正方法】削除
【補正の内容】
【手続補正２８】
【補正対象書類名】明細書
【補正対象項目名】００２９
【補正方法】変更
【補正の内容】
【００２９】
上記目的を達成するために、請求項９記載の印刷システムは、記録媒体、該記録媒体を収納するケース、及び該記録媒体を有する記録装置を含む対象物に適合する貼付物の印刷データを生成し、生成された印刷データに基づいて前記貼付物の印刷を行う情報処理装置と、前記情報処理装置にネットワークを介して接続されたホスト装置とを備える印刷システムにおいて、前記情報処理装置は、音楽用ＣＤ、音楽用テープ、及び音楽用ＭＤを含む記録物に付属するバーコード情報を読み取る読取手段と、前記読取手段により読み取ったバーコード情報に基づいて、前記記録物に記録された音楽、音声を含む情報の曲名、タイトル名、及びアーティスト名のデータを検索取得する取得手段と、前記読取手段により前記バーコード情報が読み取られた際の回数をカウントして集計を行い、利用回数データとして前記情報処理装置又は前記ホスト装置に記憶する記憶手段と、前記取得手段により取得されたデータから前記対象物に適合する貼付物の印刷を行う印刷手段とを備え、前記取得手段は、前記情報処理装置又は前記ホスト装置のいずれか一方から前記データを検索取得することを特徴とする。
【手続補正２９】
【補正対象書類名】明細書
【補正対象項目名】００３０
【補正方法】変更
【補正の内容】
【００３０】
請求項１０記載の印刷システムは、請求項９記載の印刷システムにおいて、前記情報処理装置は、前記情報処理装置又は前記ホスト装置に記憶された利用回数データに基づいて所定の情報サービスを提供する情報提供手段と、前記利用回数データを配信する配信手段とを更に備えることを特徴とする。
【手続補正３０】
【補正対象書類名】明細書
【補正対象項目名】００３１
【補正方法】削除
【補正の内容】
【手続補正３１】
【補正対象書類名】明細書
【補正対象項目名】００３２
【補正方法】削除
【補正の内容】
【手続補正３２】
【補正対象書類名】明細書
【補正対象項目名】００３３
【補正方法】削除
【補正の内容】
【手続補正３３】
【補正対象書類名】明細書
【補正対象項目名】００３４
【補正方法】削除
【補正の内容】
【手続補正３４】
【補正対象書類名】明細書
【補正対象項目名】００３５
【補正方法】変更
【補正の内容】
【００３５】
請求項１１記載の印刷システムは、請求項９又は１０記載の印刷システムにおいて、前記バーコード情報は、商品バーコード及び独自に設定されたバーコードを含むことを特徴とする。
【手続補正３５】
【補正対象書類名】明細書
【補正対象項目名】００３６
【補正方法】削除
【補正の内容】
【手続補正３６】
【補正対象書類名】明細書
【補正対象項目名】００３７
【補正方法】削除
【補正の内容】
【手続補正３７】
【補正対象書類名】明細書
【補正対象項目名】００３８
【補正方法】削除
【補正の内容】
【手続補正３８】
【補正対象書類名】明細書
【補正対象項目名】００７２
【補正方法】変更
【補正の内容】
【００７２】
【発明の効果】
以上詳細に説明したように、本発明によれば、音楽用ＣＤ等の記録物に付属するバーコード情報を読み取り、そのバーコード情報に基づいて、記録物に記録された音楽、音声を含む情報の曲名、タイトル名、及びアーティスト名のデータを検索取得し、取得されたデータから対象物に適合する貼付物を印刷するので、ユーザがデータ入力に時間をかけることなく、簡単且つ迅速にラベル、シール、インデックスカード等の貼付物を印刷することができる。また、読み取られた回数をカウントして集計を行い、該集計した結果を利用回数データとして記憶するので、ユーザの利用動向が容易に把握できる。その結果、集計したデータに基づいて人気ランキング検索等の情報サービスを提供することができる。
【手続補正３９】
【補正対象書類名】明細書
【補正対象項目名】００７３
【補正方法】削除
【補正の内容】
【手続補正４０】
【補正対象書類名】明細書
【補正対象項目名】００７４
【補正方法】削除
【補正の内容】